(57)【特許請求の範囲】
【請求項１】
炊飯釜を搬送手段で搬送方向に移動させながら加熱手段で加熱して連続炊飯を行う連続炊飯装置に用いられる炊飯釜であって、
底板と、
この底板の外周端部に立設された側板とを備え、
前記底板は、熱膨張により前記底板の下面が前記加熱手段に接触することを防止するための上方に凸状の凸板部を有し、
前記凸板部は、
第１線状凸板部分と、
この第１線状凸板部分と交差する第２線状凸板部分とを有し、
前記第１線状凸板部分と前記第２線状凸板部分との交差部分が、前記底板のうちで最も高い位置に位置し、
前記加熱手段による加熱時には、前記第１線状凸板部分および前記第２線状凸板部分が前記交差部分によって上方へ誘導される
ことを特徴とする炊飯釜。
【請求項２】
第１線状凸板部分は、上方に凸状で断面逆Ｖ字状であり、
第２線状凸板部分は、上方に凸状で断面逆Ｖ字状で、底板の中央位置で前記第１線状凸板部分と交差する
ことを特徴とする請求項１記載の炊飯釜。
【請求項３】
第１線状凸板部分および第２線状凸板部分は、いずれも交差部分側に向かって徐々に上り傾斜する傾斜状に形成されている
ことを特徴とする請求項１または２記載の炊飯釜。
【請求項４】
第１線状凸板部分および第２線状凸板部分は、長方形状の底板の対角線に沿って位置する
ことを特徴とする請求項１ないし３のいずれか一記載の炊飯釜。
【請求項５】
底板の凸板部は、前記底板の中央位置を中心として放射状に位置する追加線状凸板部分を有する
ことを特徴とする請求項１ないし４のいずれか一記載の炊飯釜。
【請求項６】
炊飯釜を搬送手段で搬送方向に移動させながら加熱手段で加熱して連続炊飯を行う連続炊飯装置に用いられる炊飯釜であって、
底板と、
この底板の外周端部に立設された側板とを備え、
前記底板は、熱膨張により前記底板の下面が前記加熱手段に接触することを防止するための上方に凸状の凸板部を有し、
前記側板は、内側方に凸状の線状凸板部を有する
ことを特徴とする炊飯釜。
【発明の詳細な説明】
【技術分野】
【０００１】
本発明は、連続炊飯を行う連続炊飯装置に用いられる炊飯釜に関する。
【背景技術】
【０００２】
従来、例えば特許文献１に記載された連続炊飯装置が知られている。
【０００３】
この連続炊飯装置は、炊飯釜を搬送手段で搬送方向に移動させながら加熱手段で加熱して連続炊飯を行うものである。そして、この連続炊飯装置に用いられる従来の炊飯釜は、例えば長方形状の底板と、この底板の外周端部に立設された４つの側板と、両側の側板の上端部に外側方に向かって突設された取手とを備えている。なお、連続炊飯装置の加熱手段は、例えば誘導加熱（Induction Heating：ＩＨ）式のもので、炊飯釜の底板を加熱する底板加熱部と、炊飯釜の側板を加熱する側板加熱部とを備えている。
【先行技術文献】
【特許文献】
【０００４】
【特許文献１】特開２００３−３１０４３７号公報（図１、図２）
【発明の概要】
【発明が解決しようとする課題】
【０００５】
しかしながら、上記従来の炊飯釜では、連続炊飯時において、炊飯釜の底板が加熱手段の底板加熱部による加熱により下方に熱膨張するため、底板の下面が加熱手段の底板加熱部に接触してしまい、搬送手段による炊飯釜の移動に支障をきたすおそれがある。
【０００６】
本発明は、このような点に鑑みなされたもので、搬送手段による炊飯釜の移動に支障をきたすことを防止できる炊飯釜を提供することを目的とする。
【課題を解決するための手段】
【０００７】
請求項１記載の炊飯釜は、炊飯釜を搬送手段で搬送方向に移動させながら加熱手段で加熱して連続炊飯を行う連続炊飯装置に用いられる炊飯釜であって、底板と、この底板の外周端部に立設された側板とを備え、前記底板は、熱膨張により前記底板の下面が前記加熱手段に接触することを防止するための上方に凸状の凸板部を有し、前記凸板部は、第１線状凸板部分と、この第１線状凸板部分と交差する第２線状凸板部分とを有し、前記第１線状凸板部分と前記第２線状凸板部分との交差部分が、前記底板のうちで最も高い位置に位置し、前記加熱手段による加熱時には、前記第１線状凸板部分および前記第２線状凸板部分が前記交差部分によって上方へ誘導されるものである。
【０００８】
請求項２記載の炊飯釜は、請求項１記載の炊飯釜において、第１線状凸板部分は、上方に凸状で断面逆Ｖ字状であり、第２線状凸板部分は、上方に凸状で断面逆Ｖ字状で、底板の中央位置で前記第１線状凸板部分と交差するものである。
【０００９】
請求項３記載の炊飯釜は、請求項１または２記載の炊飯釜において、第１線状凸板部分および第２線状凸板部分は、いずれも交差部分側に向かって徐々に上り傾斜する傾斜状に形成されているものである。
【００１０】
請求項４記載の炊飯釜は、請求項１ないし３のいずれか一記載の炊飯釜において、第１線状凸板部分および第２線状凸板部分は、長方形状の底板の対角線に沿って位置するものである。
【００１１】
請求項５記載の炊飯釜は、請求項１ないし４のいずれか一記載の炊飯釜において、底板の凸板部は、前記底板の中央位置を中心として放射状に位置する追加線状凸板部分を有するものである。
【００１２】
請求項６記載の炊飯釜は、炊飯釜を搬送手段で搬送方向に移動させながら加熱手段で加熱して連続炊飯を行う連続炊飯装置に用いられる炊飯釜であって、底板と、この底板の外周端部に立設された側板とを備え、前記底板は、熱膨張により前記底板の下面が前記加熱手段に接触することを防止するための上方に凸状の凸板部を有し、前記側板は、内側方に凸状の線状凸板部を有するものである。
【発明の効果】
【００１３】
本発明によれば、底板は熱膨張により底板の下面が加熱手段に接触することを防止するための上方に凸状の凸板部を有するため、底板の下面が加熱手段に接触することを防止でき、搬送手段による炊飯釜の移動に支障をきたすことを防止できる。
【図面の簡単な説明】
【００１４】
【図１】本発明の一実施の形態に係る炊飯釜の平面図である。
【図２】同上炊飯釜の一部切欠き正面図である。
【図３】図１のＡ−Ａ断面図である。
【図４】同上炊飯釜の底板の第１線状凸板部分の端面図である。
【図５】図１のＢ−Ｂ断面図である。
【図６】蓋の平面図である。
【図７】同上蓋の一部切欠き正面図である。
【図８】連続炊飯装置の正面図である。
【図９】図８のＣ−Ｃ断面図である。
【発明を実施するための形態】
【００１５】
本発明の一実施の形態を図面を参照して説明する。
【００１６】
図８および図９において、１は連続炊飯装置で、この連続炊飯装置１は、蓋３がセットされた状態で互いに隣接して連なった複数の炊飯釜２を、搬送手段４で搬送方向（図１中、左方向）に間欠的に移動（タクト移動）させながら加熱手段５で加熱して、連続炊飯を行う業務用連続炊飯機である。
【００１７】
連続炊飯装置１は、炊飯釜２が移動して通過する細長いトンネル状の釜移動空間である加熱室10を有する装置本体11を備え、この装置本体11に搬送手段４および加熱手段５等が設けられている。なお、加熱室10の一端が釜投入口12となっており、加熱室10の他端が釜排出口13となっている。
【００１８】
搬送手段４は、駆動モータ15からの動力に基づいて回転する複数の回転体であるスプロケット16と、これらスプロケット16に回行可能に掛け渡され炊飯釜２を加熱室10を通過するように搬送方向に移動させる左右１対の搬送用無端体であるチェーン17とを有している。チェーン17の上側の往路部18は装置本体11の上フレーム19に設けられた往路側案内部20によって案内されながら移動し、チェーン17の下側の復路部21は装置本体11の下フレーム22に設けられた復路側案内部23によって案内されながら移動するようになっている。
【００１９】
加熱手段５は、例えば磁力線によって炊飯釜２に渦電流を発生させて加熱する誘導加熱式（ＩＨ式）のもので、加熱室10の底面に沿って配設され炊飯釜２の底板41を加熱する底板加熱部31と、加熱室10の側面に沿って配設され炊飯釜２の左右両側（搬送方向左右）の側板42を加熱する側板加熱部32とを有している。
【００２０】
底板加熱部31は、搬送方向に並ぶ複数の底板用誘導加熱コイル33と、これら底板用誘導加熱コイル33の上面を覆う水平状のカバー板（トッププレート）34とを有している。側板加熱部32は、搬送方向に並ぶ複数の側板用誘導加熱コイル35と、これら側板用誘導加熱コイル35の内側面を覆う鉛直状（鉛直方向に対してやや傾斜した傾斜状を含む）のカバー板36とを有している。カバー板34，36は、例えば平板状の強化ガラス板にて構成されている。また、加熱コイル33，35は、例えば１個の炊飯釜２の大きさに対応する矩形板状に形成され、装置本体11のコイル取付部37に取り付けられている。
【００２１】
なお、加熱手段５による加熱にて熱膨張（熱変形）する前の炊飯釜２の底面（底板本体部46の下面）と底板加熱部31のカバー板34の上面との間の距離Ｓは、例えば５ｍｍである（図９参照）。
【００２２】
ここで、このような誘導加熱式の連続炊飯装置１に用いられる誘導加熱用の炊飯釜２の具体的形状について説明する。
【００２３】
炊飯釜２は、図１ないし図５に示されるように、例えば外側がステンレス鋼板で内側がアルミニウム板であるクラッド鋼板によって、上方に向かって開口する長方形状の上面開口部40を有する箱形状に形成されたものである。
【００２４】
炊飯釜２は、平面視で長方形状、すなわち例えば各辺の長さ（例えば５００ｍｍ）が同じ正方形状をなす底板41と、この底板41の外周端部（辺部）に湾曲板44を介して立設された鉛直状（鉛直方向に対して外側方にやや傾斜した傾斜状を含む）の４つの側板42と、左右両側（搬送方向左右）の側板42の上端部に外側方に向かって水平状に突設されチェーン17の往路部18上に載置される取手43とを備えている。
【００２５】
そして、炊飯釜２は、連続炊飯時には両取手43が搬送手段４のチェーン17の往路部18上に載置されることにより両チェーン17の往路部18で支持された状態となり、チェーン17の回行によりその状態のまま搬送方向に搬送される。この際、底板41は、加熱手段５の底板加熱部31の上面の上方近傍位置を移動する。
【００２６】
底板41は、連続炊飯時における加熱手段５の加熱による底板41の熱膨張により底板41の下面が加熱手段５の底板加熱部31の上面（カバー板34の上面）に接触することを防止するための上方に凸状の凸板部（折り部）45を有している。
【００２７】
つまり、底板41は、熱膨張する前の状態で水平な平板状をなす底板本体部46と、この底板本体部46に折り曲げ（例えばブレーキプレス等のプレス加工）によって一体に設けられこの底板本体部46から上方に向かって突出する折曲板状の凸板部45とにて構成されている。
【００２８】
凸板部45は、底板41の一の対角線に沿ってこの一の対角線の一端近傍から他端近傍まで連続して直線状に位置する上方に凸状で断面逆Ｖ字状の第１線状凸板部分51と、底板41の他の対角線に沿ってこの他の対角線の一端近傍から他端近傍まで連続して直線状に位置し底板41の中央位置で第１線状凸板部分51と直交状に交差する上方に凸状で断面逆Ｖ字状の第２線状凸板部分52とを有している。つまり、凸板部45は、底板本体部46に一体に設けられた平面視でＸ字状をなす第１線状凸板部分51と第２線状凸板部分52とを有している。
【００２９】
そして、第１線状凸板部分51と第２線状凸板部分52とが直交状に交差する上方に凸状の４角錐面状の交差部分53が、底板41のうちで最も高い位置に位置している。つまり、第１線状凸板部分51の長手方向中央部を構成する交差部分53が第１線状凸板部分51の他の部分よりも上方に突出して位置し、同様に、第２線状凸板部分52の長手方向中央部を構成する交差部分53が第２線状凸板部分52の他の部分よりも上方に突出して位置している。なお、第１線状凸板部分51の長手方向中央部が第２線状凸板部分52の長手方向中央部を構成して交差部分53となっている。
【００３０】
第１線状凸板部分51および第２線状凸板部分52は、いずれも長手方向中央側つまり交差部分53側に向かって緩やかな角度で徐々に上り傾斜する傾斜状に形成されている。例えば図示しないが、線状凸板部分51，52のうちの交差部分53以外の部分を水平状に形成してもよい。
【００３１】
なお、図４に示されるように、熱膨張する前の交差部分53の頭頂点部53aの下面と底板本体部46の下面との間の距離ａは、例えば１０ｍｍである。熱膨張する前の第１線状凸板部分51の交差部分53以外の部分の下面と底板本体部46の下面との間の距離ｂは、例えば４．５〜６ｍｍである。また、図５に示されるように、熱膨張する前の第１線状凸板部分51の交差部分53以外の部分の幅寸法ｃは、例えば２０ｍｍである。なお、第１線状凸板部分51と第２線状凸板部分52とは同一形状であり、第２線状凸板部分52の寸法は第１線状凸板部分51の寸法と同じである。
【００３２】
また、凸板部45は、第１線状凸板部分51および第２線状凸板部分52と交差することなく、これら両線状凸板部分51，52の間において底板41の中央位置（交差部分53）を中心として放射状に位置し底板本体部46の下方への熱膨張を抑制する上方に凸状で断面逆Ｖ字状の複数、すなわち例えば９０度等間隔をおいた４本の同一形状の追加線状凸板部分55を有している。
【００３３】
追加線状凸板部分55は、底板本体部46に一体に設けられ、底板41の辺部に対して直交状でその辺部の長手方向中央近傍から交差部分53近傍まで連続して直線状に位置している。そして、同一直線上の前後２本の追加線状凸板部分55が搬送方向に沿って位置し、同一直線上の左右２本の追加線状凸板部分55が搬送方向に対して直交する方向に沿って位置している。なお、追加線状凸板部分55と第１線状凸板部分51とがなす角度αは、例えば４５度である（図１参照）。
【００３４】
また、直交した２本の線状凸板部分51，52と４本の追加線状凸板部分55とは、繋がっておらず、非連続である。つまり、交差部分53と追加線状凸板部分55の交差部分53側の内端部との間には、底板本体部46の一部（プレス加工されていない部分）46aが存在している。
【００３５】
側板42は、底板41の辺部に湾曲板44を介して鉛直状に立設され熱膨張する前の状態で平板状をなす矩形板状の側板本体部61を有している。そして、側板本体部61の上部には、この側板本体部61から内側方に向かって突出する折曲板状の線状凸板部62が折り曲げ（例えばブレーキプレス等のプレス加工）によって一体に設けられている。つまり、４つの各側板42は、側板本体部61の長手方向一端近傍から長手方向他端近傍まで連続して水平な直線状に位置し側板本体部61の内側方への熱膨張を抑制する内側方に凸状で断面倒Ｖ字状の１本の線状凸板部62を有している。また、側板本体部61の上端部には、蓋３が載置される蓋載置部63が一体に設けられている。
【００３６】
また、蓋３は、図６および図７に示されるように、平面視で長方形状、すなわち例えば各辺の長さが同じ正方形状をなす板状の蓋本体66と、この蓋本体66の上面に上方に向かって突設された蓋取手67とを備えている。そして、蓋本体66の外周端部が炊飯釜２の側板42の蓋載置部63上に載置されることにより蓋３が炊飯釜２にセットされ、この蓋３にて炊飯釜２の上面開口部40が閉鎖される。
【００３７】
次に、連続炊飯装置１を使用して連続炊飯を行う場合について説明する。
【００３８】
洗米および水が入れられて蓋３がセットされた炊飯釜２は、図示しない投入用搬送手段によって釜投入口12から加熱室10内に順次投入される。
【００３９】
投入された炊飯釜２は、加熱室10内において搬送手段４のチェーン17によって搬送方向にタクト移動しながら、加熱手段５によって加熱される。
【００４０】
つまり、炊飯釜２の底板41は、加熱手段５の底板加熱部31によって誘導加熱され、かつ、炊飯釜２の側板42は、加熱手段５の側板加熱部32によって誘導加熱される。
【００４１】
この加熱手段５による加熱時において、炊飯釜２の底板41は、熱膨張して下方へ膨らもうとするが、この底板41の下方への熱膨張は、第１線状凸板部分51、第２線状凸板部分52および追加線状凸板部分55にて構成された凸板部45によって抑制される。その結果、底板本体部46が下方へ少し熱膨張したとしても、底板本体部46の下面が加熱手段５の底板加熱部31のカバー板34の上面に接触するようなことはなく、また底板本体部46の下面と加熱手段５の底板加熱部31のカバー板34の上面の間の距離が適正範囲内に維持される。
【００４２】
このとき、第１線状凸板部分51および第２線状凸板部分52は、交差部分53によって上方へ誘導されるようにして上方に熱膨張する（図４の２点鎖線参照）。つまり、底板41の中央位置で最も高く突出した交差部分53には、上向きの力が作用するため、両線状凸板部分51，52および底板本体部46のうち両線状凸板部分51，52に近接した部分は、下方へ熱膨張せず、上方に向かって熱膨張する。なお、熱膨張に基づく頭頂点部53aの上動距離は例えば１ｍｍ程度であるが、図４では強調して図示されている。
【００４３】
また、炊飯釜２の側板42は、熱膨張して内側方へ膨らもうとするが、この側板42の内側方への熱膨張は、線状凸板部62によって抑制される。その結果、底板41が側板42側から受ける下向きの力が減少して底板41の下方への熱膨張が抑制され、また側板42の側板本体部61の外側面と加熱手段５の側板加熱部32のカバー板36の内側面との間の距離が適正範囲内に維持される。
【００４４】
こうして加熱されて所定の炊飯処理が完了した炊飯釜２は、図示しない排出用搬送手段によって釜排出口13から加熱室10外へ順次排出され、次工程に搬送されていく。
【００４５】
そして、このような炊飯釜２によれば、底板41は、熱膨張により底板41の下面が加熱手段５の底板加熱部31の上面に接触することを防止するための凸板部45を有するため、底板41の下面が加熱手段５の底板加熱部31の上面に接触することを防止でき、搬送手段４による炊飯釜２の移動に支障をきたすことを防止でき、よって、搬送手段４で炊飯釜２を搬送方向に適切に移動させることができる。
【００４６】
また、底板41の凸板部45は、底板41の対角線に沿ったＸ字状をなす第１線状凸板部分51および第２線状凸板部分52を有し、これら第１線状凸板部分51と第２線状凸板部分52との交差部分53が底板41のうちで最も高い位置に位置するため、両線状凸板部分51，52が交差部分53によって上方へ誘導されるようにして上方に熱膨張することとなり、底板41の下方への熱膨張を広範囲において効果的に抑制でき、底板41の下面が加熱手段５の底板加熱部31に接触することを適切かつ効果的に防止できる。
【００４７】
さらに、底板41の凸板部45は、底板41の中央位置を中心として放射状に位置する追加線状凸板部分55を有するため、Ｘ字状の線状凸板部分51，52のみならず、追加線状凸板部分55によっても底板41の下方への熱膨張を抑制でき、底板41の下面が加熱手段５の底板加熱部31に接触することをより一層適切に防止できる。
【００４８】
また、側板42は内側方に凸状の線状凸板部62を有するため、この線状凸板部62によって側板42の内側方への熱膨張を抑制でき、よって、底板41の下面が加熱手段の底板加熱部31に接触することをより一層適切に防止できる。
【００４９】
なお、連続炊飯装置１の加熱手段５は、ＩＨ式のものには限定されず、例えばガスバーナ式のものや、赤外線ヒータ式のもの等でもよい。
【００５０】
また、炊飯釜２の底板41の凸板部45は、追加線状凸板部分55を有さず、互いに交差する線状凸板部分51，52のみを有するものでもよい。
【００５１】
さらに、底板41の凸板部45は、例えば円形環状や長方形環状等の環状に形成されたものでもよく、また環状と直線状とを組み合わせたもの等でもよい。
【００５２】
また、線状凸板部分51，52と追加線状凸板部分55とが非連続な構成には限定されず、例えば追加線状凸板部分55の内端部が交差部分53に繋がった構成等でもよい。
【００５３】
さらに、各側板42ごとに線状凸板部62が１本ずつ形成された構成には限定されず、例えば各側板42ごとに線状凸板部62が複数本ずつ形成された構成等でもよい。
【符号の説明】
【００５４】
１    連続炊飯装置
２    炊飯釜
４    搬送手段
５    加熱手段
41    底板
42    側板
45    凸板部
51    第１線状凸板部分
52    第２線状凸板部分
53    交差部分
55    追加線状凸板部分
62    線状凸板部
【図１】
0005697234.tif 000002
【図２】
0005697234.tif 000003
【図３】
0005697234.tif 000004
【図４】
0005697234.tif 000005
【図５】
0005697234.tif 000006
【図６】
0005697234.tif 000007
【図７】
0005697234.tif 000008
【図８】
0005697234.tif 000009
【図９】
0005697234.tif 000010